(57)【要約】【課題】従来の空気調和機では、スイッチング素子群がショート破壊したときにシャント抵抗が過電流によりオープン破壊すると、ドライブ回路にＤＣ電圧の正極側と負極側間の電圧が印加されドライブ回路が過電圧破壊し、連鎖的に制御ＩＣも過電圧破壊するという連鎖的な破壊が進行することがあった。【解決手段】第１のシャント抵抗５が断線した場合に並列接続したツェナーダイオード１１を過電圧破壊させることでパワー回路に設けた第１の回路開閉手段８を開放させ安全性を確保する【選択図】図１
2008190749.tif 000002
【特許請求の範囲】
【請求項１】
ＡＣ電源を整流するダイオードブリッジと、前記ダイオードブリッジにより整流された電圧をＤＣ電圧に平滑するインバータ用コンデンサと、圧縮機モータと、ＤＣ電圧を交流電圧として前記圧縮機モータに印加するためにブリッジ接続されたスイッチング素子群と、ＤＣ電圧の負極側と前記スイッチング素子群の負極側の間に挿入される第１のシャント抵抗と、ＤＣ電圧の負極側に基準電位をもち前記スイッチング素子群の駆動を行うとともに前記第１のシャント抵抗の電圧が入力され前記スイッチング素子群の過電流を検知すると前記スイッチング素子群の駆動を停止させるドライブ回路と、ＤＣ電圧の負極側に基準電位をもち前記ドライブ回路に接続され前記圧縮機モータの回転信号を前記ドライブ回路に送信する制御ＩＣから構成され、前記スイッチング素子群の正極側に接続され前記圧縮機モータを駆動時には短絡される第１の回路開閉手段が挿入され、前記第１のシャント抵抗の前記スイッチング素子群側にアノードが接続される第１のダイオードと、前記第１のダイオードのカソード側にカソードが接続され前記第１の回路開閉手段の電源にアノードが接続される第２のダイオードと、前記第１のダイオードと第２のダイオードのカソードにカソードが接続されるツェナーダイオードが接続されていることを特徴とする空気調和機。
【請求項２】
ＡＣ電源に接続される室内機と、前記室内機に設けられた第２の回路開閉手段によりＡＣ電源が供給され前記室内機と通信を行う室外機にて構成され、前記室外機は、ＡＣ電源を整流するダイオードブリッジと、前記ダイオードブリッジにより整流された電圧をＤＣ電圧に平滑するインバータ用コンデンサと、圧縮機モータと、前記ＤＣ電圧を交流電圧として前記圧縮機モータに印加するためにブリッジ接続されたスイッチング素子群と、前記ＤＣ電圧の負極側と前記スイッチング素子群の負極側の間に挿入される第１のシャント抵抗と、ＤＣ電圧の負極側に基準電位をもち前記スイッチング素子群の駆動を行うとともに前記第１のシャント抵抗の電圧が入力され前記スイッチング素子群の過電流を検知すると前記スイッチング素子群の駆動を停止させるドライブ回路と、ＤＣ電圧の負極側に基準電位をもち前記ドライブ回路に接続され前記圧縮機モータの回転信号を前記ドライブ回路に送信する制御ＩＣから構成され、前記第１のシャント抵抗の前記スイッチング素子群側にアノードが接続される第１のダイオードと、前記第１のダイオードのカソード側にカソードが接続され前記制御ＩＣにアノードが接続される第２のダイオードと、前記第１のダイオードと第２のダイオードのカソードにカソードが接続されるツェナーダイオードが接続され、前記制御ＩＣは前記第２のダイオードから入力される電圧が変化すると前記室内機に第２の回路開閉手段を開放させる指示を出すことを特徴とする空気調和機。
【請求項３】
請求項１に記載の空気調和機からツェナーダイオードと第１のダイオードを削除し、第２のダイオードのアノード側に抵抗器を設け、第１の回路開閉手段への電源を前記抵抗器にベースが接続されたトランジスタによって供給することを特徴とする空気調和機。
【請求項４】
請求項２に記載の空気調和機から第１のダイオードとツェナーダイオードを削除し、第２のダイオードのカソード側をドライブ回路に接続したことを特徴とする空気調和機。
【請求項５】
請求項３に記載の空気調和機の第１のダイオードのアノードとカソードを入れ替えた第３のダイオードに置換え、前記第３のダイオードのカソード側と第１のシャント抵抗のＤＣ負極側に接続される第２のシャント抵抗を設けたことを特徴とする空気調和機。
【請求項６】
請求項４に記載の空気調和機の第２のダイオードのアノードとカソードを入れ替えた第３のダイオードに置換え、前記第３のダイオードのカソード側と第１のシャント抵抗のＤＣ負極側に接続される第２のシャント抵抗を設けたことを特徴とする空気調和機。
【請求項７】
請求項５に記載の空気調和機の第３のダイオードと第２のシャント抵抗を削除し、第１のシャント抵抗の電圧を基準電圧と比較しその大小によって第１の開放開閉手段の電源を遮断させる電圧検出手段を設けたことを特徴とする空気調和機。
【請求項８】
請求６に記載の空気調和機の第３のダイオードと第２のシャント抵抗を削除し、第１のシャント抵抗の電圧を基準電圧と比較しその出力を制御ＩＣに接続される電圧検出手段を設け、前記制御ＩＣは前記電圧検出手段から入力される電位が変化すると室内機に第２の回路開閉手段を開放させる指示を出すことを特徴とする空気調和機。
【請求項９】
請求７に記載の空気調和機の第１のシャント抵抗に並列に第２のシャント抵抗を設けたことを特徴とする空気調和機。
【請求項１０】
請求８に記載の空気調和機の第１のシャント抵抗に並列に第２のシャント抵抗を設けたことを特徴とする空気調和機。
【請求項１１】
請求７に記載の空気調和機の第１のシャント抵抗のスイッチング素子群側と電圧検出手段の入力端子の間にアノード側が前記電圧検出手段側となるように第４のダイオードを挿入したことを特徴とする空気調和機。
【請求項１２】
請求８に記載の空気調和機の第１のシャント抵抗のスイッチング素子群側と電圧検出手段の入力端子の間にアノード側が前記電圧検出手段側となるように第４のダイオードを挿入したことを特徴とする空気調和機。
【請求項１３】
請求７に記載の空気調和機の制御ＩＣとドライブ回路と電圧検出手段の基準電位を第１のシャント抵抗とスイッチング素子群の間に接続し、第１のシャント抵抗のＤＣ負極側を電圧検出手段への入力としたことを特徴とする空気調和機。
【請求項１４】
請求７に記載の空気調和機の第１のシャント抵抗をスイッチング素子群とＤＣ電圧の正極側の間に設け、電圧検出手段にＤＣ電圧の正極側電圧と前記第１のシャント抵抗と前記スイッチング素子群の間の電圧を入力したことを特徴とする空気調和機。
【発明の詳細な説明】
【技術分野】
【０００１】
本発明は、空気調和機のインバータ回路に関するものである。
【背景技術】
【０００２】
従来、この種の空気調和機としては、図１５に示すものがあった（特許文献１参照）。図１５は従来の空気調和機を示すものであり、ＡＣ電源を整流するダイオードブリッジ１と、ダイオードブリッジ１により整流された電圧をＤＣ電圧に平滑するインバータ用コンデンサ２と、圧縮機モータ３と、ＤＣ電圧を交流電圧として圧縮機モータ３に印加するためにブリッジ接続されたスイッチング素子群４と、ＤＣ電圧の負極側とスイッチング素子群４の負極側の間に挿入される第１のシャント抵抗５と、ＤＣ電圧の負極側に基準電位をもちスイッチング素子群４の駆動を行うとともに第１のシャント抵抗５の電圧が入力されスイッチング素子群４の過電流を検知するとスイッチング素子群４の駆動を停止させるドライブ回路６と、ＤＣ電圧の負極側に基準電位をもちドライブ回路６に接続され圧縮機モータ３の回転信号をドライブ回路６に送信する制御ＩＣ７から構成されている。
【特許文献１】特開２００５−１６０２６８号公報
【発明の開示】
【発明が解決しようとする課題】
【０００３】
しかしながら、前記従来の構成ではスイッチング素子群がショート破壊したときにシャント抵抗が過電流によりオープン破壊するとドライブ回路にＤＣ電圧の正極側と負極側間の電圧が印加されドライブ回路が過電圧破壊し、連鎖的に制御ＩＣも過電圧破壊するという連鎖的な破壊モードをもっていた。この連鎖破壊のモードは、制御ＩＣやドライブ回路の基準電位側の接続、すなわち、ＤＣ電圧の負極側への接続がすべて断線するまで継続し、トラッキングの発生などで火災を起こす可能性を持っている。
【０００４】
本発明は、上記従来の課題を解決することを目的とするものである。
【課題を解決するための手段】
【０００５】
前記従来の課題を解決するために、本発明の空気調和機は、シャント抵抗に過大な電流が流れた場合に、シャント抵抗の断線を検知してパワー回路の遮断を行うか、または、シャント抵抗の破壊にいたる電流を検知してパワー回路の遮断を行うか、または、シャント抵抗の断線に至った場合でも制御ＩＣやドライブ回路に過電圧が印加されないようにするものである。
【発明の効果】
【０００６】
本発明の空気調和機は、シャント抵抗に過大な電流が流れた場合に、シャント抵抗の断線を検知してパワー回路の遮断を行うか、または、シャント抵抗の破壊にいたるか電流を検知してパワー回路の遮断を行うか、または、シャント抵抗の断線に至った場合でも制御ＩＣやドライブ回路に過電圧が印加されないようにすることで、スイッチング素子群のショート破壊が起こったときにも安全性を確保することができる。
【発明を実施するための最良の形態】
【０００７】
第１の発明は、スイッチング素子群がショート破壊しシャント抵抗に過電流がながれシャント抵抗が断線した場合に並列接続したツェナーダイオードを耐圧破壊させることでパワー回路の経路に設けた回路開閉手段を開放させることで、安全性を確保するものである。
【０００８】
第２の発明は、スイッチング素子群がショート破壊しシャント抵抗に過電流がながれシャント抵抗が断線した場合に並列接続したツェナーダイオードが耐圧破壊したことを制御ＩＣに検知させ室内機の回路開閉手段を開放させることで、安全性を確保するものである。
【０００９】
第３の発明は、シャント抵抗が断線していない場合にのみパワー回路の経路に設けた回路開閉手段を短絡させるようにすることで、スイッチング素子群がショート破壊しシャント抵抗に過電流がながれシャント抵抗が断線した場合にパワー回路の経路に設けた回路開閉手段を開放させることで、安全性を確保するものである。
【００１０】
第４の発明は、スイッチング素子群がショート破壊しシャント抵抗に過電流がながれシャント抵抗が断線したことを制御ＩＣに検知させ室内機の回路開閉手段を開放させることで、安全性を確保するものである。
【００１１】
第５の発明は、シャント抵抗を２つに分割し電流破壊への耐性を変えておくことで、スイッチング素子群がショート破壊しシャント抵抗に過電流がながれたときに、電流破壊への耐性が弱いシャント抵抗の断線を検知しパワー回路の回路開閉手段を開放させることで、制御ＩＣやドライブ回路に過電圧が印加されることなく安全性を確保するものである。
【００１２】
第６の発明は、シャント抵抗を２つに分割し電流破壊への耐性を変えておくことで、スイッチング素子群がショート破壊しシャント抵抗に過電流がながれたときに、電流破壊への耐性が弱いシャント抵抗の断線を検知し室内機の回路開閉手段を開放させることで、制御ＩＣやドライブ回路に過電圧が印加されることなく安全性を確保するものである。
【００１３】
第７の発明は、スイッチング素子群がショート破壊しシャント抵抗に過電流がながれたときに発生するシャント抵抗の電圧を検知しパワー回路の回路開閉手段を開放させることで安全性を確保するものである。
【００１４】
第８の発明は、スイッチング素子群がショート破壊しシャント抵抗に過電流がながれたときに発生するシャント抵抗の電圧を検知し室内機の回路開閉手段を開放させることで安全性を確保するものである。
【００１５】
第９の発明は、シャント抵抗を２つに分割し電流破壊への耐性を変えておき、スイッチング素子群がショート破壊しシャント抵抗に過電流がながれ耐性の弱いシャント抵抗が断線したときのシャント抵抗に発生する電圧を検知しパワー回路の回路開閉手段を開放させることで安全性を確保するものである。
【００１６】
第１０の発明は、シャント抵抗を２つに分割し電流破壊への耐性を変えておき、スイッチング素子群がショート破壊しシャント抵抗に過電流がながれ耐性の弱いシャント抵抗が断線したときのシャント抵抗に発生する電圧を検知し室内機の回路開閉手段を開放させることで安全性を確保するものである。
【００１７】
第１１の発明は、スイッチング素子群がショート破壊しシャント抵抗に過電流がながれたときに発生するシャント抵抗の電圧を検知しパワー回路の回路開閉手段を開放させて安全性を確保するとともに、シャント抵抗が断線した場合においてもダイオードにより検知開路の故障を防ぎ安全性の確保をより確実とするものである。
【００１８】
第１２の発明は、スイッチング素子群がショート破壊しシャント抵抗に過電流がながれたときに発生するシャント抵抗の電圧を検知し室内機の回路開閉手段を開放させて安全性を確保するとともに、シャント抵抗が断線した場合においてもダイオードにより検知開路
の故障を防ぎ安全性の確保をより確実とするものである。
【００１９】
第１３の発明は、制御ＩＣとドライブ開路の基準電位をシャント抵抗とスイッチング素子群の間からとることで、スイッチング素子群がショート破壊しシャント抵抗に過電流がながれシャント抵抗が断線した場合においても制御ＩＣとドライブ開路に過電圧が印加されることを防ぎ、安全性を確保するものである。
【００２０】
第１４の発明は、シャント抵抗をスイッチング素子群のＤＣ電圧の正極側に接続することで、スイッチング素子群がショート破壊しシャント抵抗に過電流がながれシャント抵抗が断線した場合においても制御ＩＣとドライブ開路に過電圧が印加されることを防ぎ、安全性を確保するものである。
【００２１】
以下、本発明の実施の形態について、図面を参照しながら説明する。なお、この実施の形態によって本発明が限定されるものではない。
【００２２】
（実施の形態１）
図１は本発明の第１の実施の形態における空気調和機である。ＡＣ電源を整流するダイオードブリッジ１と、ダイオードブリッジ１により整流された電圧をＤＣ電圧に平滑するインバータ用コンデンサ２と、圧縮機モータ３と、ＤＣ電圧を交流電圧として圧縮機モータ３に印加するためにブリッジ接続されたスイッチング素子群４と、ＤＣ電圧の負極側とスイッチング素子群４の負極側の間に挿入される第１のシャント抵抗５と、ＤＣ電圧の負極側に基準電位をもちスイッチング素子群４の駆動を行うとともに第１のシャント抵抗５の電圧が入力されスイッチング素子群４の過電流を検知するとスイッチング素子群４の駆動を停止させるドライブ回路６と、ＤＣ電圧の負極側に基準電位をもちドライブ回路６に接続され圧縮機モータ３の回転信号をドライブ回路６に送信する制御ＩＣ７から構成され、スイッチング素子群４の正極側に接続され圧縮機モータ３を駆動時には短絡される第１の回路開閉手段８が挿入され、第１のシャント抵抗５のスイッチング素子群４側にアノードが接続される第１のダイオード９と、第１のダイオード９のカソード側にカソードが接続され第１の回路開閉手段８の電源にアノードが接続される第２のダイオード１０と、第１のダイオード９と第２のダイオード１０のカソードにカソードが接続されるツェナーダイオード１１が接続されている。
【００２３】
以上のように構成された空気調和機では、スイッチング素子群４がショート破壊し第１のシャント抵抗５に過電流がながれ第１のシャント抵抗５が断線した場合にツェナーダイオード１１が過電圧破壊してショートモードとなるのでパワー回路に設けた第１の回路開閉手段８を開放させることができ、安全性を確保することができる。
【００２４】
（実施の形態２）
図２は本発明の第２の実施の形態における空気調和機である。ＡＣ電源に接続される室内機１２と、室内機１２に設けられた第２の回路開閉手段１３によりＡＣ電源が供給され室内機１２と通信を行う室外機１４にて構成され、室外機１４は、ＡＣ電源を整流するダイオードブリッジ１と、ダイオードブリッジ１により整流された電圧をＤＣ電圧に平滑するインバータ用コンデンサ２と、圧縮機モータ３と、ＤＣ電圧を交流電圧として圧縮機モータ３に印加するためにブリッジ接続されたスイッチング素子群４と、ＤＣ電圧の負極側とスイッチング素子群４の負極側の間に挿入される第１のシャント抵抗５と、ＤＣ電圧の負極側に基準電位をもちスイッチング素子群４の駆動を行うとともに第１のシャント抵抗５の電圧が入力されスイッチング素子群４の過電流を検知するとスイッチング素子群４の駆動を停止させるドライブ回路６と、ＤＣ電圧の負極側に基準電位をもちドライブ回路６に接続され圧縮機モータ３の回転信号をドライブ回路６に送信する制御ＩＣ７から構成され、第１のシャント抵抗５のスイッチング素子群４側にアノードが接続される第１のダイ
オード９と、第１のダイオード９のカソード側にカソードが接続され制御ＩＣ７にアノードが接続される第２のダイオード１０と、第１のダイオード９と第２のダイオード１０のカソードにカソードが接続されるツェナーダイオード１１が接続され、制御ＩＣ７は第２のダイオード１０から入力される電圧が変化すると室内機１２に第２の回路開閉手段１３を開放させる指示を出す。
【００２５】
以上のように構成された空気調和機では、スイッチング素子群４がショート破壊し第１のシャント抵抗５に過電流がながれ第１のシャント抵抗５が断線した場合にツェナーダイオード１１が過電圧破壊してショートモードとなったことを制御ＩＣが検知し、室内機１２の第２の回路開閉手段１３を開放させることができ、安全性を確保することができる。
【００２６】
（実施の形態３）
図３は、本発明の第３の実施の形態における空気調和機路である。実施の形態１に記載の空気調和機からツェナーダイオード１１と第１のダイオード９を削除し、第２のダイオード１０のアノード側に抵抗器１５を設け、第１の回路開閉手段８への電源を抵抗器１５にベースが接続されたトランジスタ１６によって供給している。
【００２７】
以上のように構成された空気調和機では、シャント抵抗５が断線していない場合にのみパワー回路の経路に設けた第１の回路開閉手段８を短絡されるので、スイッチング素子群４がショート破壊しシャント抵抗５に過電流がながれシャント抵抗５が断線した場合にパワー回路の経路に設けた第１の回路開閉手段８を開放され、安全性を確保することができる。
【００２８】
（実施の形態４）
図４は、本発明の第４の実施の形態における空気調和機である。実施の形態２に記載の空気調和機から第１のダイオード９とツェナーダイオード１１を削除し、第２のダイオード１０のアノード側を制御ＩＣ７に接続している。
【００２９】
以上のように構成された空気調和機では、スイッチング素子群４がショート破壊しシャント抵抗５に過電流がながれシャント抵抗５が断線した場合に制御ＩＣ７が第１のシャント抵抗５の断線を検知し、室内機１２の第２の回路開閉手段１３を開放させるので、安全性を確保することができる。
【００３０】
（実施の形態５）
図５は、本発明の第５の実施の形態における空気調和機である。実施の形態３に記載の空気調和機の第１のダイオード９をアノードとカソードを入れ替えた第３のダイオード１７に置換え、第３のダイオード１７のカソード側と第１のシャント抵抗５のＤＣ電圧の負極側に接続される第２のシャント抵抗１８を設けている。
【００３１】
以上のように構成された空気調和機では、第１のシャント抵抗５と第２のシャント抵抗１８で電流破壊への耐性を第２のシャント抵抗１８の方を弱くしておくことで、スイッチング素子群４がショート破壊し第１のシャント抵抗５と第２のシャント抵抗１８に過電流がながれたときに、第２のシャント抵抗１８が断線しパワー回路の第１の回路開閉手段８を開放させることで、制御ＩＣ７やドライブ回路６に過電圧が印加されることなく安全性を確保することができる。
【００３２】
（実施の形態６）
図６は、本発明の第６の実施の形態における空気調和機である。実施の形態４に記載の空気調和機の第２のダイオード１０をアノードとカソードを入れ替えた第３のダイオード１７に置換え、第３のダイオード１７のカソード側と第１のシャント抵抗５のＤＣ負極側
に接続される第２のシャント抵抗１８を接続したことを特徴とする空気調和機
以上のように構成された空気調和機では、第１のシャント抵抗５と第２のシャント抵抗１８で電流破壊への耐性を第２のシャント抵抗１８の方を弱くしておくことで、スイッチング素子群４がショート破壊し第１のシャント抵抗５と第２のシャント抵抗１８に過電流がながれたときに、第２のシャント抵抗１８が断線し制御ＩＣ７が室内機１８の回路遮断手段１３を開放させることで、制御ＩＣ７やドライブ回路６に過電圧が印加されることなく安全性を確保することができる。
【００３３】
（実施の形態７）
図７は、本発明の第７の実施の形態における空気調和機である。実施の形態５に記載の空気調和機の第３のダイオード１７と第２のシャント抵抗１８を削除し、電圧検出手段として第１のシャント抵抗５の電圧を基準電圧と比較しその大小によって例えば直列に挿入したスイッチ手段（図示せず）により第１の開放開閉手段８の電源を遮断させる電圧比較回路１９を設けている。
【００３４】
以上のように構成された空気調和機では、スイッチング素子群４がショート破壊し第１のシャント抵抗５に過電流がながれたときに発生する第１のシャント抵抗５の電圧を検知しパワー回路の第１の回路開閉手段８を開放させることで安全性を確保することができる。
【００３５】
（実施の形態８）
図８は、本発明の第８の実施の形態における空気調和機である。実施の形態６に記載の空気調和機の第３のダイオード１７と第２のシャント抵抗１８を削除し、第１のシャント抵抗５の電圧を基準電圧と比較しその出力を制御ＩＣ７に接続されている電圧比較回路１９を設け、制御ＩＣ７は電圧比較回路１９から入力される電位が変化すると室内機１２に第２の回路開閉手段１３を開放させる指示を出す。
【００３６】
以上のように構成された空気調和機では、スイッチング素子群４がショート破壊し第１のシャント抵抗５に過電流がながれたときに発生する第１のシャント抵抗５の電圧を検知し室内機１２の第２の回路開閉手段１３を開放させることで安全性を確保することができる。
【００３７】
（実施の形態９）
図９は、本発明の第９の実施の形態における空気調和機である。実施の形態７に記載の空気調和機の第１のシャント抵抗５に並列に第２のシャント抵抗１８を設けている。
【００３８】
以上のように構成された空気調和機では、第１のシャント抵抗５と第２のシャント抵抗１８で電流破壊への耐性を第２のシャント抵抗１８の方を弱くしておくことで、スイッチング素子群４がショート破壊し第１のシャント抵抗５と第２のシャント抵抗１８に過電流がながれたときに、第２のシャント抵抗１８が断線したことを電圧比較回路で検知し、パワー回路の第１の回路開閉手段８を開放させることで制御ＩＣ７やドライブ回路６に過電圧をかけることなく安全性を確保することができる。
【００３９】
（実施の形態１０）
図１０は、本発明の第１０の実施の形態における空気調和機である。実施の形態８に記載の空気調和機の第１のシャント抵抗５に並列に第２のシャント抵抗１８を設けている。以上のように構成された空気調和機では、第１のシャント抵抗５と第２のシャント抵抗１８で電流破壊への耐性を第２のシャント抵抗１８の方を弱くしておくことで、スイッチング素子群４がショート破壊し第１のシャント抵抗５と第２のシャント抵抗１８に過電流がながれたときに、第２のシャント抵抗１８が断線したことを制御ＩＣ７で検知し室内機の
第２の回路開閉手段１３を開放させることで、制御ＩＣ７やドライブ回路６に過電圧をかけることなく安全性を確保することができる。
【００４０】
（実施の形態１１）
図１１は、本発明の第１１の実施の形態における空気調和機である。実施の形態７に記載の空気調和機の第１のシャント抵抗５と電圧比較回路１９の間にアノード側が電圧比較回路１９側となるように第４のダイオード２０を挿入している。
【００４１】
以上のように構成された空気調和機では、実施の形態７に記載の空気調和機で実現できる安全性の確保に加え、シャント抵抗５が断線した場合においても電圧比較回路１９に過電圧が印加されることがないので、実施の形態７に記載の空気調和機よりも確実に安全性を確保することができる。
【００４２】
（実施の形態１２）
図１２は、本発明の第１２の実施の形態における空気調和機である。実施の形態８に記載の空気調和機の第１のシャント抵抗５と電圧比較回路１９の間にアノード側が電圧比較回路１９側となるように第４のダイオード２０を挿入している。
【００４３】
以上のように構成された空気調和機では、実施の形態８に記載の空気調和機で実現できる安全性の確保に加え、シャント抵抗５が断線した場合においても電圧比較回路１９に過電圧が印加されることがないので、実施の形態８に記載の空気調和機よりも確実に安全性を確保することができる。
【００４４】
（実施の形態１３）
図１３は、本発明の第１３の実施の形態における空気調和機である。実施の形態７に記載の空気調和機の制御ＩＣ７とドライブ回路６と電圧比較回路１９の基準電位を第１のシャント抵抗５とスイッチング素子群４の間に接続し、第１のシャント抵抗５のＤＣ負極側を電圧比較回路１９への入力としている。
【００４５】
以上のように構成された空気調和機では、スイッチング素子群４がショート破壊し第１のシャント抵抗５に過電流がながれ第１のシャント抵抗５が断線した場合においても制御ＩＣ７とドライブ開路６に過電圧が印加されることが防げるので安全性を確保することができる。
【００４６】
（実施の形態１４）
図１４は、本発明の第１４の実施の形態における空気調和機である。実施の形態７に記載の空気調和機の第１のシャント抵抗５をスイッチング素子群４とＤＣ電圧の正極側の間に設け、電圧比較回路１９にＤＣ電圧の正極側電圧と第１のシャント抵抗５とスイッチング素子群４間の電圧を入力している。
【００４７】
以上のように構成された空気調和機では、スイッチング素子群４がショート破壊し第１のシャント抵抗５に過電流がながれ第１のシャント抵抗５が断線した場合においても制御ＩＣ７とドライブ開路６に過電圧が印加されることが防げるので安全性を確保することができる。
【産業上の利用可能性】
【００４８】
本発明の空気調和機は空気調和機のインバータ回路の構成に関するものであるが、同様の構成をもつ他のインバータ機器にも適用できる。
【図面の簡単な説明】
【００４９】
【図１】本発明の実施の形態１における空気調和機の構成図
【図２】本発明の実施の形態２における空気調和機の構成図
【図３】本発明の実施の形態３における空気調和機の構成図
【図４】本発明の実施の形態４における空気調和機の構成図
【図５】本発明の実施の形態５における空気調和機の構成図
【図６】本発明の実施の形態６における空気調和機の構成図
【図７】本発明の実施の形態７における空気調和機の構成図
【図８】本発明の実施の形態８における空気調和機の構成図
【図９】本発明の実施の形態９における空気調和機の構成図
【図１０】本発明の実施の形態１０における空気調和機の構成図
【図１１】本発明の実施の形態１１における空気調和機の構成図
【図１２】本発明の実施の形態１２における空気調和機の構成図
【図１３】本発明の実施の形態１３における空気調和機の構成図
【図１４】本発明の実施の形態１４における空気調和機の構成図
【図１５】従来の空気調和機の構成図
【符号の説明】
【００５０】
１  ダイオードブリッジ
２  インバータ用コンデンサ
３  圧縮機モータ
４  スイッチング素子群
５  第１のシャント抵抗
６  ドライブ回路
７  制御ＩＣ
８  第１の回路開閉手段
９  第１のダイオード
１０  第２のダイオード
１１  ツェナーダイオード
１２  室内機
１３  第２の開放開閉手段
１４  室外機
１５  抵抗器
１６  トランジスタ
１７  第３のダイオード
１８  第２のシャント抵抗
１９  電圧比較回路（電圧検出手段）
２０  第４のダイオード
【図１】
2008190749.tif 000003
【図２】
2008190749.tif 000004
【図３】
2008190749.tif 000005
【図４】
2008190749.tif 000006
【図５】
2008190749.tif 000007
【図６】
2008190749.tif 000008
【図７】
2008190749.tif 000009
【図８】
2008190749.tif 000010
【図９】
2008190749.tif 000011
【図１０】
2008190749.tif 000012
【図１１】
2008190749.tif 000013
【図１２】
2008190749.tif 000014
【図１３】
2008190749.tif 000015
【図１４】
2008190749.tif 000016
【図１５】
2008190749.tif 000017